(57)【特許請求の範囲】
【請求項１】
アンカーケーブル用定着部のアンカーヘッドに配設された定着用ウェッジによって、前記アンカーヘッドの端面からアンカーケーブルの先端部を突出させて保持された前記アンカーケーブルの引張力を除荷するための治具であって、
前記アンカーケーブルの先端部に取り付けられる分割体でその外周部にテーパ面を有する除荷用の除荷用ウェッジと、
前記除荷用ウェッジのテーパ面に係合する円錐形状で軸方向に貫通した孔を有して当該除荷用ウェッジの端面がケース一端側端面から突出しないようにそのケース一端側端面から適宜に離間させて該除荷用ウェッジを内包する筒状のカプラーケースと、
前記アンカーケーブル用定着部に反力を取り、前記除荷用ウェッジを介して前記アンカーケーブルを引張ることで前記定着用ウェッジをアンカーヘッドの孔から離間させるため、前記カプラーケースを引張るジャッキ手段と、
前記定着用ウェッジが前記アンカーヘッドの孔から撤去された後に当該孔に一端部が挿着されるとともに、前記アンカーヘッドと前記カプラーケースとの間のアンカーケーブルの外周面を囲繞するように本体部が装着され、他端部の突出部が前記カプラーケースの孔に外側から内側に進入して前記ケース一端側端面から適宜に離間させた前記除荷用ウェッジの端面に当接し、前記アンカーケーブルの引張力を除荷するものであって筒状体を長手方向の軸線に沿って分割してなるリリースパイプと、から構成されてなること、
を特徴とするアンカーの強制除荷用治具。
【請求項２】
カプラーケースの他端部には、ジャッキの張力伝達部材の端部と他端部においてネジ結合されるジョイント部材の一端部と連結するための連結手段が設けられていること、
を特徴とする請求項１に記載のアンカーの強制除荷用治具。
【請求項３】
除荷用ウェッジとジョイント部材の一端部との間のカプラーケース内部空間部には、前記除荷用ウェッジをアンカーヘッド側に付勢する付勢手段が設けられていること、
を特徴とする請求項１または２に記載のアンカーの強制除荷用治具。
【請求項４】
ジャッキ手段における反力部材であるラムチェアーは、筒状体であってその側壁にはリリースパイプをアンカーケーブルの外周面を囲繞してアンカーヘッドの孔に挿着させる作業を可能にする窓が設けられていること、
を特徴とする請求項１乃至３のいずれか１項に記載のアンカーの強制除荷用治具。
【請求項５】
ラムチェアーの内側壁面には、ジャッキ手段の引張力によってアンカーヘッドが定着部から浮き上がるのを防止する、浮上がり防止手段が設けられていること、
を特徴とする請求項１乃至４のいずれか１項に記載のアンカーの強制除荷用治具。
【請求項６】
リリースパイプの分割体の外周部にはそれぞれ、安全作業用の把手部材を着脱自在に取り付けるための、取付手段が設けられていること、
を特徴とする請求項１乃至５のいずれか１項に記載のアンカーの強制除荷用治具。
【請求項７】
請求項１乃至６のいずれか１項に記載のアンカーの強制除荷用治具を形成し、
リリースパイプをアンカーヘッドの孔に挿着した後、該リリースパイプの他端部における突出部によって除荷用ウェッジのアンカーヘッド側への移動を阻止し、前記除荷用ウェッジと引張力が解除されたカプラーケースとの相対的移動により前記除荷用ウェッジの緊張拘束状態が解除されることで、アンカーケーブルの引張力が除荷されること、
を特徴とするアンカーの強制除荷方法。
【請求項８】
ラムチェアーの端部には、ジャッキ手段のジャッキによる支圧を確保するための支圧板が設けられて、前記ジャッキによる引張り作業が行われること、
を特徴とする請求項７に記載のアンカーの強制除荷方法。
【請求項９】
ラムチェアーの内側壁面に設けた浮上がり防止手段によって、ジャッキ手段の引張力によってアンカーヘッドが定着部から浮き上がるのは防止しながら、アンカーケーブルをジャッキ手段で引張り、定着用ウェッジを浮き上がらせてこれを撤去すること、
を特徴とする請求項７または８に記載のアンカーの強制除荷方法。
【請求項１０】
アンカーケーブルが通る穴を有する筒状体を備え、
前記筒状体は、複数の分割体からなり、複数の前記分割体を組み合わせることにより、複数の前記分割体の間の中央部分に、前記アンカーケーブルが通る前記穴が形成され、これにより、前記アンカーケーブルの中間部分に取り付けることが可能であり、
前記筒状体は、一端部と、突出部とを有し、
前記アンカーケーブルが挿通された孔を有するアンカーヘッドと前記アンカーケーブルに装着された除荷用ウェッジとの間において前記アンカーケーブルに取り付けたとき、前記一端部が前記アンカーヘッドの孔に挿着され、前記突出部が前記除荷用ウェッジに当接して前記アンカーケーブルを前記除荷用ウェッジから解放する、
リリースパイプ。
【請求項１１】
前記突出部は、前記アンカーケーブルの先端部が挿入された孔を有するカプラーケースの前記孔のなかに進入したのち、前記カプラーケースの孔のなかに内包された前記除荷用ウェッジと当接し、前記除荷用ウェッジを前記カプラーケースに対して相対的に移動させることにより、前記アンカーケーブルを前記除荷用ウェッジから解放する、
請求項１０のリリースパイプ。
【請求項１２】
複数の前記分割体は、それぞれ、安全作業用の把手部材を着脱自在に取り付けるための取付手段を有する、
請求項１０又は１１のリリースパイプ。
【請求項１３】
請求項１０乃至１２いずれかのリリースパイプを備える、除荷装置。
【発明の詳細な説明】
【技術分野】
【０００１】
本発明は、例えば、斜張橋の斜材ケーブル、山留め壁や擁壁・法面などに用いられるストランド（以下、これらをアンカーケーブルと称する）に係る、当該ケーブルの交換・修理において、既存のアンカーの引張力を強制除荷する際に使用される治具と、その治具を使用したアンカーの除荷方法に関するものである。
【背景技術】
【０００２】
例えば、前記斜張橋の斜材ケーブルは、橋桁を吊持すべく、主塔から橋台へ斜めに架設されており、そのケーブルの定着部において、円錐形の孔を有したアンカーヘッドに、前記孔内に円錐状に形成される複数のウェッジが、前記斜材ケーブルの外周面にセットされた状態で、配設される。そして、外側から内側に向けて打ち込まれた前記ウェッジは、そのウェッジ内壁面の周方向にに刻設された内歯が前記斜材ケーブルの外周面に食い込み、当該斜材ケーブルを掴持する。更に、前記斜材ケーブルの引張力によって、前記孔の円錐形状の周壁で拘束されて前記ウェッジが前記斜材ケーブルの外周面に増々食い込むことで、前記斜材ケーブルの端部が前記アンカーヘッドに保持されるようになっている。
【０００３】
前記斜材ケーブルの補修・交換にあたっては、斜材ケーブルが緊張・定着された状態から、当該斜材ケーブルの引張力を除荷しなければならない。そのためには、定着部において前記斜材ケーブルをジャッキ手段で引っ張って、アンカーヘッドの端面から一旦引っ張り出し、前記斜材ケーブルに食い込んでいるウェッジを、アンカーヘッドの孔から取り出さなければならない。
【０００４】
そこで、従来、上記解決方法として、特許文献１に記載されているように、アンカーケーブル（斜材ケーブルに相当）の先端部を除荷用クサビによって掴持し、ジャッキによって前記除荷用クサビを介して前記アンカーケーブルに引張力を加えて、定着用クサビをアンカーヘッドから離間させて前記アンカーケーブルから取り外す。その後、前記除荷用クサビと前記アンカーヘッドとの間に平板状のシャッターを挿入して、その後、前記ジャッキによる前記アンカーケーブルに対する引張力（緊張力）を除荷する。
【０００５】
前記除荷用クサビの先端を前記シャッターの片面に当接させて、前記アンカーケーブルの除荷による移動に対して、前記除荷用クサビが前記シャッターに当接していることでケーブルと同方向へ移動することが阻止される。この除荷用クサビを保持する外側のカプラーが定着側へ強制的に移動されることで、相対的に除荷用クサビが反対側に移動し、前記除荷用クサビのクサビ効果が消勢する。こうして、前記アンカーケーブルの引張力（緊張力）が除荷されるようになっているものが知られている。
【先行技術文献】
【特許文献】
【０００６】
【特許文献１】特開２００３−２６８７６６号公報
【発明の概要】
【発明が解決しようとする課題】
【０００７】
しかし、従来におけるケーブルの除荷方法においては、Ｕ字型切欠き部を有するシャッターの板部材によるウェッジの強制リリースなので、除荷用ウェッジの端面に対する当たり具合に注意を要し、作業的にも目視による監視を怠ることができず、作業の安全性に留意する必要がある。本発明に係るアンカーの強制除荷用治具と、強制除荷方法は、このような課題を解決するために提案されたものである。
【課題を解決するための手段】
【０００８】
本発明に係るアンカーの強制除荷用治具の上記課題を解決して目的を達成するための要旨は、アンカーケーブル用定着部のアンカーヘッドに配設された定着用ウェッジによって、前記アンカーヘッドの端面から前記ケーブルの先端部を突出させて保持された前記アンカーケーブルの引張力を除荷するための治具であって、前記アンカーヘッドの先端部に取り付けられる分割体でその外周部にテーパ面を有する除荷用の除荷用ウェッジと、前記除荷用ウェッジのテーパ面に係合する円錐形状で軸方向に貫通した孔を有して当該除荷用ウェッジの端面がケース一端側端面から突出しないようにそのケース一端側端面から適宜に離間させて該除荷用ウェッジを内包する筒状のカプラーケースと、前記アンカーケーブル用定着部に反力を取り、前記除荷用ウェッジを介して前記アンカーケーブルを引張ることで前記定着用ウェッジをアンカーヘッドの孔から離間させるため、前記カプラーケースを引張るジャッキ手段と、前記定着用ウェッジが前記アンカーヘッドの孔から撤去された後に当該孔に一端部が挿着されるとともに、前記アンカーヘッドと前記カプラーケースとの間のアンカーケーブルの外周面を囲繞するように本体部が装着され、他端部の突出部が前記カプラーケースの孔に外側から内側に進入して前記ケース端面から適宜に離間させた前記除荷用ウェッジの端面に当接し、前記アンカーケーブルの引張力を除荷するものであって筒状体を長手方向の軸線に沿って分割してなるリリースパイプと、から構成されてなることである。
【０００９】
前記カプラーケースの他端部には、ジャッキの張力伝達部材の端部と他端部においてネジ結合されるジョイント部材の一端部と連結するための連結手段が設けられていることである。
【００１０】
前記除荷用ウェッジとジョイント部材の一端部との間のカプラーケース内部空間部には、前記除荷用ウェッジをアンカーヘッド側に付勢する付勢手段が設けられていることである。
【００１１】
前記ジャッキ手段における反力部材であるラムチェアーは、筒状体であってその側壁にはリリースパイプをアンカーケーブルの外周面を囲繞してアンカーヘッドの孔に挿着させる作業を可能にする窓が設けられていることである。
【００１２】
前記ラムチェアーの内側壁面には、ジャッキ手段の引張力によってアンカーヘッドが定着部から浮き上がるのを防止する、浮上がり防止手段が設けられていることである。
【００１３】
前記リリースパイプの分割体の外周部にはそれぞれ、安全作業用の把手部材を着脱自在に取り付けるための、取付手段が設けられていることである。
【００１４】
本発明に係るアンカーの強制除荷方法の上記課題を解決して目的を達成するための要旨は、上記本発明に係るアンカーの強制除荷用治具を形成し、リリースパイプをアンカーヘッドの孔に挿着した後、該リリースパイプの他端部における突出部によって除荷用ウェッジのアンカーヘッド側への移動を阻止し、前記除荷用ウェッジと引張力が解除されたカプラーケースとの相対的移動により前記除荷用ウェッジの緊張拘束状態が解除されることで、アンカーケーブルの引張力が除荷されることである。
【００１５】
前記ラムチェアーの端部には、ジャッキ手段のジャッキによる支圧を確保するための支圧板が設けられて、前記ジャッキによる引張り作業が行われることである。
【００１６】
前記ラムチェアーの内側壁面に設けた浮上がり防止手段によって、ジャッキ手段の引張力によってアンカーヘッドが定着部から浮き上がるのを防止しながら、アンカーケーブルをジャッキ手段で引張り、定着用ウェッジを浮き上がらせてこれを撤去することを含むものである。
【発明の効果】
【００１７】
本発明のアンカーの強制除荷用治具と、強制除荷方法によれば、カプラーケースに内包された除荷用ウェッジを、アンカーヘッド側に挿着したリリースパイプの他端部側の突出部で当接させて、ジャッキ手段で引っ張っているカプラーケースの引張力を緩めることで、前記除荷用ウェッジの締め付け掴持作用が解除され、アンカーケーブルが除荷される。
【００１８】
また、定着用ウェッジの取り出し撤去の際における、アンカーヘッドの定着部からの浮き上がりを防止して、除荷作業の安全性が確保される。
【００１９】
更に、前記カプラーケースの内部空間部に付勢手段を設けることで、除荷用ウェッジをアンカーヘッド側に付勢してアンカーケーブルに食い込ませて、確実にジャッキ手段で前記アンカーケーブルを引っ張ることができる。
【００２０】
前記リリースパイプの分割体には、それぞれ把手部材用の取付手段が設けられているので、該リリースパイプをアンカーヘッドの孔に挿着し且つアンカーケーブルの外周部に装着する際の、取付作業の安全性が確保される、という優れた効果を奏するものである。
【図面の簡単な説明】
【００２１】
【図１】本発明に係る除荷方法の作業手順に沿った説明図（Ａ）〜（Ｃ）である。
【図２】同本発明に係る除荷方法の作業手順に沿った説明図（Ａ）〜（Ｃ）である。
【図３】同本発明に係る除荷方法の作業手順に沿った説明図（Ａ）〜（Ｃ）である。
【図４】同本発明に係る除荷装置１の使用状態における、装置の一部を破断してして示す使用状態側面図である。
【図５−Ａ】同本発明に係る除荷装置１について、アンカーヘッド７にカプラーケース２、張力伝達部材８ｂ、を装着した状態の斜視図（Ａ）、カプラーケース２に順に内装される除荷用ウェッジ３，押圧部材１１、付勢手段１２、ジョイント部材１０の、それぞれの側面図（Ｂ）である。
【図５−Ｂ】同本発明に係る除荷装置１について、ラムチェアー１４をハンカーヘッド７に被覆させた状態の斜視図である。
【図５−Ｃ】同本発明に係る除荷装置１について、定着用ウェッジ５を撤去した後に、リリースパイプ６を把手部材１５によってアンカーヘッド７に挿着した状態の斜視図である。
【図６】同本発明に係る除荷装置１における、除荷用ウェッジ３の側面図（Ａ）、平面図（Ｂ）である。
【図７】同本発明に係る除荷装置１の、カプラーケース２の組立体の断面図（Ａ）、カプラーケース２の断面図（Ｂ）、押圧部材１１の断面図（Ｃ）、ジョイント部材１０の断面図（Ｄ）である。
【図８】同本発明に係る除荷装置１の、支圧板１３の平面図（Ａ）、縦断面図（Ｂ）である。
【図９】同本発明に係る除荷装置１の、反力部材であるラムチェアー１４の縦断面図（Ａ）、正面図（Ｂ）、背面図（Ｃ）である。
【図１０】同本発明に係る除荷装置１の、ラムチェアー１４に設ける浮上がり防止手段１４ｂの正面図（Ａ）、縦断面図（Ｂ）である。
【図１１】同本発明に係る除荷装置１の、リリースパイプ６の一部を破断した側面図（Ａ）、正面図（Ｂ）である。
【発明を実施するための形態】
【００２２】
本発明に係るアンカーの強制除荷用治具１と、その強制除荷治具１を使用して施工する強制除荷方法は、図１乃至図３に示すように、除荷作業の安全性を高めるとともに、カプラーケース２と除荷用ウェッジ３とで、アンカーケーブル４を引張・緊張させて定着用ウェッジ５を引っ張り出して撤去した後、リリースパイプ６によって除荷用ウェッジ３の掴持作用を解除させ、アンカーケーブル４の引張力（緊張力）を確実に除荷させるものである。
【実施例１】
【００２３】
前記アンカーの強制除荷用治具１について、図を参照して説明する。図１（Ａ）に示すように、斜張橋、法面や擁壁などに使用されるＰＣ鋼より線でなるアンカーケーブル４は、ケーブル両端の定着部において、前記アンカーヘッド４に穿孔された円錐形の孔７ａに挿着された定着用ウェッジ５によるクサビ効果で掴持されている。
【００２４】
前記アンカーケーブル４の端部４ａは、前記アンカーヘッド７の端面から寸法ａ（例えば、８０ｍｍ）程度突出させてある。また、前記定着用ウェッジ５は、内周面に喰い込み用の歯（図示せず）を設けてなる３個で１組の分割体である。
【００２５】
図４に示すように、前記アンカーケーブル４の端部４ａを引張方向に引っ張る、アンカーの強制除荷用治具１の概略構成は、
前記アンカーヘッド７の先端部に取り付けられる分割体であって、その外周部にテーパ面を有するとともに内周面に喰い込み用の内歯３ｂを有する除荷用（プリング）ウェッジ３と、
前記除荷用ウェッジ３のテーパ面に係合する円錐形状で軸方向に貫通した孔２ａ（図１（Ｂ），（Ｃ）参照）を有して、図１（Ｃ），図４，図７（Ａ）に示すように、当該除荷用ウェッジ３の端面３ａがケース一端側端面２ｂから突出しないように、そのケース一端側端面２ｂから適宜に離間させて該除荷用ウェッジ３を内包する筒状のカプラーケース２と、
前記アンカーケーブル用の定着部７ｂに反力を取り、前記除荷用ウェッジ３を介して前記アンカーケーブル４を引張ることで、前記定着用ウェッジ５をアンカーヘッド７の孔７ａから離間させるため、前記カプラーケース２を引張るジャッキ手段８と、
前記定着用ウェッジ５が前記アンカーヘッド７の孔７ａから撤去された後に、当該孔７ａに一端部６ａが挿着される（図３（Ａ）参照）とともに、前記アンカーヘッド７と前記カプラーケース２との間のアンカーケーブル４の外周面４ｂ（図２（Ｃ）参照）を囲繞するように本体部６ｂが装着され、他端部の突出部６ｃが前記カプラーケース２の孔２ａに外側から内側に進入して、前記ケース端面２ｂから適宜に離間させた前記除荷用ウェッジ３の端面３ａに当接し、前記アンカーケーブル４の引張力を除荷するものであって筒状体を長手方向の軸線に沿って分割してなるリリースパイプ６と、から構成されてなる。
【００２６】
前記各構成部品について順に説明する。前記除荷用ウェッジ３は、図４に示す前記定着部７ｂにおけるアンカーヘッド７の定着用ウェッジ５とは異なる、別の金属製クサビ部材であって、図６（Ａ），（Ｂ）に示すように、周方向に３分割された、全体で一つの円錐形となるテーパ状の外周面を有し、内周面にケーブル喰い込み用の内歯を有してなる。なお、前記定着用ウェッジ５とは寸法等が異なるものの、基本的な構造と作用とは同じである。
【００２７】
前記カプラーケース２は、図７（Ａ），（Ｂ）に示すように、前記アンカーケーブル４の端部４ａを引張るためのもので、軸線方向に細長い金属製の筒体である。また、図４，図７（Ａ），（Ｄ）に示すように、前記カプラーケース２の他端部２ｃには、ジャッキ８ａの張力伝達部材８ｂの端部８ｃと、他端部１０ａとにおいてネジ結合されるジョイント部材１０の一端部１０ｂと連結するための連結手段（一例、ネジ部）２ｄが内周部に設けられている。
【００２８】
更に、図７（Ａ），（Ｃ）に示すように、前記カプラーケース２に内包された除荷用ウェッジ３をアンカーヘッド７側に押し込むための押圧部材１１が配設される。該押圧部材１１の貫通孔１１ａは、アンカーケーブル４の端部４ａを挿通させるためにある。
【００２９】
前記カプラーケース２の内部空間部において、前記内包された除荷用ウェッジ３と前記ジョイント部材１０の一端部１０ｂとの間には、前記除荷用ウェッジ３をアンカーヘッド７側に付勢する付勢手段（一例、コイルスプリング）１２が設けられている。
【００３０】
前記ジャッキ手段８は、図４に示すように、センターホール型のジャッキ８ａと、張力伝達部材であるＰＣ鋼棒８ｂと、該ＰＣ鋼棒８ｂ用の定着部材であるナット８ｄと、荷重を集中させてジャッキ８ａの支圧を確保するための補助部材としての支圧板１３と、定着部７ｂに反力を取るための反力部材である筒状のラムチェアー１４とで構成される。当該ジャッキ手段８の各構成部品について説明する。
【００３１】
前記支圧板１３は、図８に示すように、所要厚さの金属製円盤状体であり、中央部に貫通孔１３ａが設けられて、張力伝達部材８ｂを挿通させるようになっている。また、前記ラムチェアー１４は、図９に示すように、全体が金属製の筒状体であり、その側壁にはリリースパイプ６をアンカーケーブル４の外周面を囲繞してアンカーヘッド７の孔７ａに挿着させる作業を可能にする窓１４ａが設けられている。また、このラムチェアー１４における筒状体の両端のフランジ部には、ジャッキ用孔１４ｇと、定着用孔１４ｈがそれぞれ適宜な孔径にして設けられている。
【００３２】
更に、前記ラムチェアー１４の内側壁面には、図４に示すように、ジャッキ手段８の引張力によってアンカーヘッド７が定着部７ｂから浮き上がるのを防止する、浮上がり防止手段１４ｂが、筒状体の長手方向である軸線方向に沿って取付けられている。
【００３３】
前記浮上がり防止手段１４ｂの形状等は、図９、図１０に示すように、細長い金属製矩形状の棒部材である。前記ラムチェアー１４の筒体１４ｄの側壁に設けられた貫通孔１４ｅに取付ネジ１４ｆ（図４参照）を挿通させて、そのネジの先端部をネジ孔１４ｃに螺合させて、前記浮上がり防止手段１４ｂを前記筒体１４ｄの内側壁面に取付けて固定する。これにより、図５−Ｂ、図５−Ｃに示すように、浮上がり防止手段１４ｂの長手方向の一端側端面で、アンカーヘッド７の端面を抑えて、該アンカーヘッド７の浮き上がりを防止するものである。
【００３４】
次に、前記ジョイント部材１０は、前記ジャッキ手段８の引張力をカプラーケース２に伝達させるための部材であり、図７（Ｄ）に示すように、全体が金属製の円柱体である。その一端部１０ｂ側の外周面に雄ネジ部が設けられ、他端部１０ａ側に凹部の内周壁面に雌ネジ部１０ｃが設けられている。図７（Ａ）に示すように、前記一端部１０ｂ側の雄ネジ部が、前記カプラーケース２の連結手段２ｄに螺合される。また、前記雌ネジ部１０ｃに、張力伝達部材８ｂの端部８ｃが螺合される。
【００３５】
また、前記リリースパイプ６は、図１１（Ａ），（Ｂ）に示すように、筒体を周方向において２分割された分割体であり、この分割体を組み合わせた中央部分を、アンカーケーブル４が挿通するようになっている。
【００３６】
前記リリースパイプ６の長手方向の中間部には、本体部６ｂの外周部に把手部材１５を着脱自在に取付ける（図５−Ｃ参照）ための取付手段であるネジ部６ｅが設けられている。前記リリースパイプ６をアンカーヘッド７の孔７ａに装着する際に、前記把手部材１５を掴んで前記リリースパイプ６を操作して、アンカーヘッド７から作業者が離れて施工することで、作業の安全を図るためである。
【実施例２】
【００３７】
上述した本発明に係るアンカーの強制除荷用治具１を形成した後、該アンカーの強制除荷用治具１を使用して施工するアンカーの強制除荷方法について、図を参照しながら説明する。まず、図１（Ａ），（Ｂ）に示すように、アンカーヘッド７の端面から寸法ａ（約８０ｍｍ程度）で突出しているアンカーケーブル４の端部４ａに、カプラーケース２を一端側の孔２ａから差し込んで装着する。カプラーケース２の一端側端面が、定着用ウェッジ５の端面に当接する。
【００３８】
次に、図１（Ｃ）に示すように、前記カプラーケース２の他端側から、図６に示した除荷用ウェッジ３を差し入れて、工具でアンカーヘッド７側の方向に叩き込む。アンカーケーブル４の端部４ａに、前記除荷用ウェッジ３が装着される。
【００３９】
図１（Ｃ）に示すように、前記除荷用ウェッジ３の端面３ａは、前記カプラーケース２の一端側の端面２ｂから、適宜に離間された位置にある。
【００４０】
その後、前記カプラーケース２に対して、図５−Ａ（Ａ），（Ｂ）、図７（Ａ）に示すように、前記除荷用ウェッジ３に押圧部材１１を載置し、付勢部材１２を配置して、ジョイント部材１０をカプラーケース２の連結手段２ｄに螺合させて、開口部を閉蓋する。これにより、前記付勢部材１２の付勢力が、押圧部材１１を介して除荷用ウェッジ３をアンカーヘッド７側に押し込む作用をする。
【００４１】
そして、図５−Ａ（Ａ）に示すように、前記ジョイント部材１０のネジ部１０ｃに、張力伝達部材８ｂの端部８ｃを螺合させて連結する。
【００４２】
その後、図５−Ｂに示すように、反力部材であるラムチェアー１４の一端側の定着用孔１４ｈ側から、前記張力伝達部材８ｂ、カプラーケース２，アンカーヘッド７に被装させて、前記一端側のフランジ部をベース９に当接させ、ラムチェアー１４を載置する。
【００４３】
前記ラムチェアー１４における浮上がり防止手段１４ｂが、アンカーヘッド７の中心線上に来るように位置調整して、前記ラムチェアー１４を配設する。なお、浮上がり防止手段１４ｂは、予め前記ラムチェアー１４の内壁面に取り付けておいても良いし、前記ラムチェアー１４をベース９に載置した後、窓１４ａから当該浮上がり防止手段１４ｂを差し入れて、取付ネジ１４ｆで取付・固定しても良い。
【００４４】
その後、図４に示すように、前記ラムチェアー１４に支圧板１３を配設し、更に、ジャッキ（一例、センターホールジャッキ）８ａを配設して、張力伝達部材８ｂをナット８ｄで固定する。また、高圧油接続部８ｅ，８ｆに、高圧油供給装置の供給・排出用のホース（図示せず）をそれぞれ連結する。
【００４５】
図４に示すように、ジャッキ手段８が前記ラムチェアー１４の一端側に配設された後、図２（Ａ）、図４に示すように、高圧油供給装置から前記高圧接続部８ｅ，８ｆを経由してジャッキ手段８を作動させ、定着部７ｂに反力を取って、カプラーケース２を支圧板１３によって真直ぐに引っ張る。前記カプラーケース２が引張方向に移動し、若干の隙間ｂが生じた後、除荷用ウェッジ３がアンカーケーブル４の端部４ａをしっかりと把持して引張り上げる。
【００４６】
図２（Ｂ）に示すように、カプラーケース２が寸法Ｃ（約４５ｍｍ程度）移動すると、アンカーヘッド７の孔７ａから、定着用ウェッジ５が引き出されるので、該定着用ウェッジ５をラムチェアー１４の窓１４ａから、工具などを使用して撤去する。こうして、図２（Ｃ）の状態になる。
【００４７】
なお、複数本のアンカーケーブル４のうち、最後の１本を除荷する際には、前記定着用ウェッジ５と一緒に、アンカーヘッド７も引っ張られて定着部７ｂから浮き上がろうとするので、図４、図５−Ｂに示すように、ラムチェアー１４の浮上がり防止手段１４ｂの端面で前記アンカーヘッド７の端面を抑えることで、アンカーヘッド７の浮き上がりが防止される。
【００４８】
次に、図３（Ａ）に示すように、前記撤去した定着用ウェッジ５に係るアンカーヘッド７の孔７ａに、２分割体のリリースパイプ６の一端部６ａを１組にして、装着する。これには、図５−Ｃに示すように、このリリースパイプ６の本体部６ｂに、把手部材１５をその端部を取付手段６ｅに螺合させて、取り付ける。この把手部材１５を作業者が手に持って、２分割体のリリースパイプ６をラムチェアー１４の窓１４ａから差し込んで、それぞれの一端部６ａをアンカーヘッド７の孔７ａに挿着させて、アンカーヘッド７とカプラーケース２の間のアンカーヘッド４の外周面４ｂに、前記リリースパイプ６，６を対向させて被せる。
【００４９】
次に、図３（Ｂ）に示すように、前記ジャッキ手段８により、前記カプラーケース２の引張力を徐々に緩める。これにより、カプラーケース２がアンカーヘッド７側に戻り、前記リリースパイプ６の突出部６ｃが、カプラーケース２の孔２ａに外側から内側へと入り込む。
【００５０】
更に、前記引張力が弱められたカプラーケース２がアンカーヘッド７側に移動すると、前記リリースパイプ６の突出部６ｃにおける端面６ｄが、端面２ｂから突出せずに離間している除荷用ウェッジ３の端面３ａに当接する。
【００５１】
次に、図３（Ｃ）に示すように、カプラーケース２に対する緊張力をジャッキ手段８で更に除荷すると、該カプラーケース２がアンカーヘッド７側に移動する。これは、前記除荷用ウェッジ３がリリースパイプ６の突出部６ｃの端面６ｄに当接して移動できないが、該除荷用ウェッジ３に対するカプラーケース２の拘束力が弱まるので、アンカーケーブル４を掴持する除荷用ウェッジ３の前記拘束力に対する反力により、カプラーケース２の孔２ａにおけるテーパ面に分力が作用して、強制的にカプラーケース２がアンカーヘッド７側に移動される。
【００５２】
こうして、前記カプラーケース２の孔２ａによる除荷用ウェッジ３に対する締付力が解除されて、その結果、前記除荷用ウェッジ３とカプラーケース２との相対的移動ｄ（図３（Ｂ），（Ｃ）との比較）により、該除荷用ウェッジ３のアンカーケーブル４に対する掴持力（締付力）が弛緩され、アンカーケーブル４の引張力が除荷される
【００５３】
以上のように、アンカーの強制除荷方法は、前記強制除荷用治具１によるアンカーケーブル４の除荷作業を繰り返して施工するものである。上記実施例は、あくまでも一実施例であり、この実施例によって特に限定されるものでは無く、その他の公知技術、周知技術などの代替え手段を一部に含むものであり、特許請求の範囲の内容を狭く解釈してはならない。
【産業上の利用可能性】
【００５４】
本発明に係るアンカーの強制除荷用治具と、強制除荷方法によれば、引張力（緊張力）が付加されたケーブルの除荷に広く適用できるものである。
【符号の説明】
【００５５】
１          アンカーの強制除荷用治具、
２          カプラーケース、                  ２ａ        孔、
２ｂ        端面、                            ２ｃ        他端部、
２ｄ        連結手段（ネジ部）、      
３          除荷用ウェッジ、                  ３ａ        端面、
３ｂ        内歯、  
４          アンカーケーブル、                ４ａ        端部、
４ｂ        外周面、
５          定着用ウェッジ、  
６          リリースパイプ、                  ６ａ        一端部、
６ｂ        本体部、                          ６ｃ        突出部、
６ｄ        端面、                            ６ｅ        取付手段（ネジ部）、
６ｆ        貫通孔、
７          アンカーヘッド、                  ７ａ        孔、
７ｂ        定着部、
８          ジャッキ手段、  
８ａ        ジャッキ（一例：センターホールジャッキ）    
８ｂ        張力伝達部材（ＰＣ鋼棒）、  
８ｃ        端部、                            ８ｄ        ナット、
８ｅ，８ｆ  高圧油接続部、                  
９          ベース、
１０        ジョイント部材、                １０ａ        他端部、
１０ｂ      一端部、                        １０ｃ        ネジ部、  
１１        押圧部材、                      １１ａ        貫通孔、
１２        付勢手段（コイルスプリング）、
１３        支圧板、
１４        反力部材（ラムチェアー）、      １４ａ        窓、
１４ｂ      浮上がり防止手段（ディスクホルダー）、
１４ｃ      ネジ孔、
１４ｄ      筒体、                          １４ｅ        貫通孔、
１４ｆ      取付ネジ、                      １４ｇ        ジャッキ用孔、
１４ｈ      定着用孔、                      １４ｊ        取付孔、  
１５        把手部材。
【図１】
0006433938.tif 000002
【図２】
0006433938.tif 000003
【図３】
0006433938.tif 000004
【図４】
0006433938.tif 000005
【図５−Ａ】
0006433938.tif 000006
【図５−Ｂ】
0006433938.tif 000007
【図５−Ｃ】
0006433938.tif 000008
【図６】
0006433938.tif 000009
【図７】
0006433938.tif 000010
【図８】
0006433938.tif 000011
【図９】
0006433938.tif 000012
【図１０】
0006433938.tif 000013
【図１１】
0006433938.tif 000014